(57)【要約】【課題】和室を仕切った場合にも和室の好ましい雰囲気が得られやすい間仕切壁パネル構造の提供。【解決手段】床面１に固定される床ランナー６と、それの長手方向の適所に取付けられる複数の台座２と、間仕切壁基板４３とその下方端部に取付けた枠部材４４と間仕切壁基板４３及び枠部材４４の長手方向の両側面に固着され下方端面と床ランナー６との間に所定の隙間が生じる表面部材４５とを有し、かつ、表面部材４５の外法が床ランナー６の短手方向と略同じ長さを有するものであって天井面３１に固定され台座２に載置される間仕切壁４と、を有してなり、所定の隙間の少なくとも一方に、表面部材４５と床ランナー６の外表面と同一平面上に外表面が位置するカバー４７を固定した。【選択図】  図２
2004232245.tif 000002
【特許請求の範囲】
【請求項１】
床面に固定される長く延びる床ランナーと、この床ランナーの長手方向の適所に取付けられる複数の台座と、長方形の平板状をなす間仕切壁基板とその下方端部に取付けた枠部材と間仕切壁基板及び枠部材の長手方向の両側面に固着され下方端面と前記床ランナーとの間に所定の隙間が生じる表面部材とを有し、かつ、表面部材の外法が前記床ランナーの短手方向と略同じ長さを有するものであって天井面に固定され前記台座に載置される間仕切壁と、を有してなり、前記所定の隙間の少なくとも一方に、表面部材と床ランナーの外表面と同一平面上に外表面が位置するカバーを固定してなることを特徴とする間仕切壁パネル構造。
【請求項２】
前記複数の台座間の前記所定の隙間に臨む位置に取付具を設け、この取付具にカバーを固定したことを特徴とする請求項１記載の間仕切壁パネル構造。
【請求項３】
前記カバーは、釘により固定したことを特徴とする請求項１記載及び請求項２記載の間仕切壁パネル構造。
【発明の詳細な説明】
【０００１】
【発明の属する技術分野】
本発明は、間仕切壁パネル構造に関するものである。
【０００２】
【従来の技術】
従来、住宅等の建築物における部屋を仕切る間仕切壁パネル構造として、例えば、特開２００２−３８６３６号公報に記載されるものがある。この間仕切壁パネル構造Ｖは、配管収納部を構成する配管レール１０１と間仕切壁１０２と幅木１０８とを備えて床面Ｌに設置されてなるものである。
【０００３】
配管レール１０１は、図８および図９示すように、金属板により大略長い角筒状であって設置したとき、上方に位置する上方片に所定幅の開口Ｋ、側方に位置する側方片に適宜面積の作業用窓Ｍを有して形成されている。この角筒状をなす部分の内方には、コンセント用配線１０４および照明器具のスイッチ配線１０５が収容される。
【０００４】
間仕切壁１０２は、図８に示すように、間仕切り壁基板１０８の両側面に表面部材１０９を張り合わせ、その下部端面に位置決め部材１１０が配設されている。この位置決め部材１１０は、配管レール１０１の開口Ｋに嵌め込まれることにより、間仕切壁２の位置決めがなされる。
【０００５】
幅木１０３は、例えば、石膏ボードからなる幅木基板１０６と、木材からなる外装板１０７と、によって構成されるもので、幅木基板１０６は表面部材１０９と床面Ｌ間の隙間に等しい幅（図における縦方向長さ）を有し、外装板１０７は幅木基板１０６より大きい幅を有している。そして、幅木基板１０６を表面部材１０９と床面Ｌ間の隙間に嵌め込んだ状態で装着される。
【０００６】
【特許文献１】
特開２００２−３８６３６号公報
【０００７】
【発明が解決しようとする課題】
特開２００２−３８６３６号公報に開示される間仕切壁パネル構造では、洋室と洋室を仕切る場合は問題ないが、例えば、洋室と和室を仕切ろうとすると、和室の畳の近傍に幅木が存在することとなる。和室の場合、一般的に畳に座ることが多く、その状態で幅木の厚さ分の突出が気になったり、部屋の雰囲気を変えるべくクロス等を貼る場合、幅木がそのまま残ったり、それを隠そうとすると凹凸があるためその作業が面倒となる。
【０００８】
本発明は、かかる事由に鑑みてなしたものであり、その目的とするところは、和室を仕切った場合にも和室の好ましい雰囲気が得られやすい間仕切壁パネル構造を提供することにある。
【０００９】
【課題を解決するための手段】
上記問題点を解決するため、請求項１記載の発明は、床面に固定される長く延びる床ランナーと、この床ランナーの長手方向の適所に取付けられる台座と、長方形の平板状をなす間仕切壁基板とその下方端部に取付けた枠部材と間仕切壁基板及び枠部材の長手方向の両側面に固着され下方端面と前記床ランナーとの間に所定の隙間が生じる表面部材とを有し、かつ、表面部材の外法が前記床ランナーの短手方向と略同じ長さを有するものであって天井面に固定され前記台座に載置される間仕切壁と、を有してなり、前記所定の隙間の少なくとも一方に、表面部材と床ランナーの外表面と同一平面上に外表面が位置するカバーを固定してなるようにしている。
【００１０】
請求項２記載の発明は、請求項１の構成において、複数の台座間の前記所定の隙間に臨む位置に取付具を設け、この取付具にカバーを固定している。
【００１１】
請求項３記載の発明は、請求項１または請求項２の構成において、カバーは、釘により固定したものとしている。
【００１２】
【発明の実施の形態】
（第１の実施形態）
第１の実施形態の間仕切壁パネル構造を、図１乃至図５に基づいて説明する。図１は要部正面図、図２は図１におけるＡ−Ａの拡大断面図、図３は図１におけるＢ−Ｂの拡大断面図、図４は台座の斜視図、図５は縦断面図である。
【００１３】
床１は、例えば、従来のマンション、オフィス等の建築物における二重床と同様に、合板等よりなり、図５に示すように、コンクリート下地等よりなる床スラブ１２上に、防振材付きの木製脚体、金属製脚体等よりなる支持脚１３を介して支持され、洋室の床パネル１４および和室の畳１５を載設している。
【００１４】
床ランナー６は、木材、鋼板等の金属板よりなり、対向片と連結片により大略コ字状をなして長く延びている。通常、約９０ｃｍの倍数の長さとする。実施形態では、約１８０ｃｍの長さにしている。このものは、後述する台座とともに、床１に固定される。
【００１５】
台座２は、例えば、鋼板等の金属板よりなり、設置したとき、側方に位置する側方片２５、２５と下方に位置する下方片２６と上方に位置する上方片２７により大略角筒状をなし、かつ、側方片２５、２５は上方片２７から上方に所定寸法だけ延設してある。この側方片２５、２５の延設した部分には複数のねじ通し孔２１ａを設けている。また、下方片２６にも固定のためのねじ通し孔、上方片２７にも固定作業が可能となる適宜の開口（図示せず）を設けておく。この台座２は、床ランナー６の長さに比して遥かに小さく、通常、後述する間仕切壁の長手方向の両端に位置するよう所定間隔をおいて配設するものである。この角筒状をなす部分の内方には、コンセント用配線や照明器具のスイッチ配線９、９が収容される。
【００１６】
間仕切壁４は、間仕切壁基板４３と枠部材４４と表面部材４５とを有する。間仕切壁基板４３は、例えば、発泡材、断熱材により、長方形の平板状をなすよう長手方向を約９０ｃｍに形成する。すなわち、床ランナー６の長手方向長さの整数分の１の長さとする。したがって、実施形態では、床ランナー６が１個に対し２個用いる。枠部材４４は、例えば、木質よりなり、台座２の側方片２５、２５の延設した部分の間に嵌まり込む幅を有し、間仕切壁４自体と同程度の長さを有する。そして、間仕切壁基板４３の下方端部に取付ける。表面部材４５は、例えば、石膏ボード、化粧合板等よりなり、間仕切壁基板４３及び枠部材４４の長手方向の両側面に固着する。具体的には、間仕切壁基板４３の平板上全ての両側面及び枠部材４４の大略上半分の両側面に固着する。したがって、この表面部材４５は、設置したとき、自己の下方端面と床ランナー６の対向片の上方端面との間に所定の隙間が生じる寸法になっている。また、表面部材の外法、すなわち、間仕切壁４の厚さは、床ランナー６の短手方向と略同じ長さを有する。このものは、天井面に固定され、台座２の上方片２７に載置される。
【００１７】
幅木８は、従来のものと同様、前述した所定の隙間を覆って台座２を隠すためのものであり、例えば、木質よりなり、洋室側において、表面部材４５と床ランナー６の表面に取付けられる。
【００１８】
取付具４６は、例えば、木材からなり、後述するカバー４７を取付けるものであり、床ランナー６と枠部材４４との間に配して固着する。
【００１９】
カバー４７は、例えば、石膏ボードからなり、前述した所定の隙間、特に、和室側の隙間に対応した平板状に形成する。したがって、間仕切壁４の長手方向と同じ長さを有する。また、所定の隙間に嵌め入れたとき、台座２のねじ通し孔２１ａに対応した位置にねじ通し孔を設けている。このカバー４７は、所定の隙間に嵌め入れ、ビス等の止め具５により枠部材４４に固定した状態で、表面部材４５と床ランナー６の対向片の各外表面と同一平面上に外表面が位置する寸法形状とする。これにより、所定の隙間が覆われ、台座２を隠すこととなる。
【００２０】
次に、間仕切壁パネル構造の取付け作業を説明する。まず、仕切りたい位置の床１上に、床ランナー６をおく。次いで、床ランナー６の連結片上に、適宜間隔をおいて、例えば、４個の台座２を載せる。そして、ビス等の止具５により両者を床１に固定する。この場合、台座２の角筒状部分に配線９を挿入収容し、各部屋へ供給可能な状態にしておく。
【００２１】
次いで、取付具４６を、台座２、２間の床ランナー６に載置し、その連結片と対向片に接する個所に接着剤により固定する。次いで、２個の間仕切壁４、４の枠部材４４、４４を、互いの端部が接する状態にして台座２の側方片２５、２５の延設した部分の間に嵌め込み、これにより２個の間仕切壁４を台座２の上方片に載置する。次いで、間仕切壁４、４を天井面３１に固定する。
【００２２】
なお、天井面３１は、次のように構成される。すなわち、図５に示すように、コンクリート下地等よりなる天井スラブ３２下に、金属棒体等よりなる吊材３３を介して、野縁材等の天井下地材３４および化粧無機質板等の天井仕上げ材よりなる天井パネル３５を吊り下げる。この天井パネル３５の下方面が天井面３１となる。
【００２３】
そして、カバー４７を、和室側の前述した所定の隙間に嵌め込み、ビス等の止め具５により、枠部材４４や取付具４６に固定する。また、洋室側には従来のもと同様、幅木８を取付ける。
【００２４】
この間仕切壁パネル構造は、仕切られた和室は、従来のものように、幅木が突出することもなく、部屋の雰囲気を変えるべくクロス等を貼る場合も、その作業が容易であり、和室の好ましい雰囲気が得られるものとなる。
【００２５】
なお、間仕切壁パネル構造の取付け作業の順序は適宜変更してもよく、床ランナーの長手方向長さは、仕切りたい部屋の大きさに応じたものを用意する。また、台座２は、間仕切壁１個に対し２個用いているが、強度を増したい場合これを増やしてもよい。また、逆に、強度的な要求がそれはど必要でない場合、取付具４６を省略してもよい。また、各部材の固定も適宜の手段を選択してよい。すなわち、枠部材４４への固定は木ねじを使っても、釘を使ってもよく、さらには、枠部材４４への固定はせずに、取付具４６にのみ釘にて固定してもよい。
（第２の実施形態）
第２の実施形態の間仕切壁パネル構造を図６及び図７に基づいて説明する。図６は要部の拡大断面図、図７は取付具４６ａの斜視図である。この実施形態は、前述した第１の実施形態とは、取付具４６及びカバー４７のみ変えたもので、それら以外の構成要素は第１の実施形態と同様であるので説明は省略する。
【００２６】
取付具４６ａは、第１実施形態と同じ形状の部分を垂直片とし、この垂直片の大略中間付近より直交方向に水平片を延設して大略Ｔ字状をなし、台座２と重ならない位置において床ランナー６の連結片と対向片一方に固着する。したがって、その長さは、台座２、２の間隔に略等しい。また、垂直片の下方端面から水平片の下方表面までの長さは、床ランナー６の対向片の高さに合わせ、水平片の突出寸法は後述するカバー４７ａの厚さに合わせている。
【００２７】
カバー４７ａは、第１実施形態と同じ厚さを有し、長手方向長さは間仕切壁４と略同じであり、正面視において、取付具４６ａの水平片に対応する部分を切欠いた形状をなしている。
【００２８】
このものは、取付具４６ａを床ランナー６の和室側に接着剤により固定した後、カバー４７ａを枠部材４４や取付具４６ａにビス等の止め具５により固定する。それにより、和室側では、表面部材４５の表面、カバー４７ａの表面、取付具４６ａの水平片の先端面は、同一平面上に外表面が位置する。
【００２９】
このものは、取付具４６ａと床ランナー６の接着面積が増大するので、接着強度をより大きくすることができる。
【００３０】
【発明の効果】
請求項１記載の発明にあっては、仕切られた和室は、従来のものように、幅木が突出することもなく、部屋の雰囲気を変えるべくクロス等を貼る場合も、その作業が容易であり、和室の好ましい雰囲気が得られるものとなる。
【００３１】
請求項２記載の発明は、請求項１記載の効果に加え、台座がない個所でも固定できるのでカバーがより安定して固定できる。
【００３２】
請求項３記載の発明は、請求項１及び請求項２記載の効果に加え、釘による固定であるためよりカバーの固定が簡単にできる。
【図面の簡単な説明】
【図１】第１実施形態の要部正面図である。
【図２】同上の図１におけるＡ−Ａの拡大断面図である。
【図３】同上の図１におけるＢ−Ｂの拡大断面図である。
【図４】同上の台座の斜視図である。
【図５】同上の縦断面図である。
【図６】第２実施形態の拡大断面図である。
【図７】同上の取付具の斜視図である。
【図８】従来の間仕切壁パネル構造の要部拡大断面図である。
【図９】同上の分解斜視図である。
【符号の説明】
１      床
２      台座
４      間仕切壁
４３    間仕切壁の間仕切壁基板
４４    間仕切壁の枠部材
４５    間仕切壁の表面部材
４６    取付具
４７    カバー
５      止め具
６      床ランナー
８      幅木
３１    天井面
【図１】
2004232245.tif 000003
【図２】
2004232245.tif 000004
【図３】
2004232245.tif 000005
【図４】
2004232245.tif 000006
【図５】
2004232245.tif 000007
【図６】
2004232245.tif 000008
【図７】
2004232245.tif 000009
【図８】
2004232245.tif 000010
【図９】
2004232245.tif 000011